(57)【要約】【課題】干渉計による計測位置決め誤差と、回折格子を用いる位置検出センサーによるアッベの原理に基づく誤差の両者を排除し、気体ゆらぎの影響低減と計測精度の向上を図るステージ位置計測および位置決め装置である。【解決手段】装置は、直動案内機構を有するステージ１，２と、レーザー干渉計３ａ，３ｂと、レーザー干渉計よりも気体の屈折率変化に影響を受け難い位置検出センサー８ａ，９ａ；８ｂ，９ｂという一軸方向に２つの位置計測手段を有する。ステージ位置決め目標に対する２種類の位置計測手段の信号から得られるずれ量について、レーザー干渉計３ａ，３ｂの光電信号から得られる位置ずれ量は、低周波数領域の位置決め制御に用い、位置検出センサー８ａ，９ａ；８ｂ，９ｂの信号から得られる位置ずれ量は、高周波数領域の位置決め制御に用いる。【選択図】　　図１
2004101362.tif 000002
【特許請求の範囲】
【請求項１】
直動案内機構を有するステージと、レーザー干渉計と、該レーザー干渉計よりも気体の屈折率変化に影響を受け難い位置検出センサーという一軸方向に２つの位置計測手段を有するステージにおいて、ステージ位置決め目標に対する前記２種類の位置計測手段の信号から得られるずれ量について、レーザー干渉計の光電信号から得られる位置ずれ量は、０Ｈｚから所定の周波数までの低周波数領域のフィードバック位置決め制御に用い、また、位置検出センサーの信号から得られる位置ずれ量は、前記所定の周波数以上の高周波数領域のフィードバック位置決め制御に用いる様に構成されたことを特徴とするステージ位置計測および位置決め装置。
【請求項２】
前記位置検出センサーは、ステージ上に設けられた回折格子と、この回折格子にビームを照射し、発生する回折光をステージ外に設けられた受光体にて受光してステージ位置を計測する測長装置であり、回折格子の光電信号から得られる位置ずれ量は、前記所定の周波数以上の高周波数領域のフィードバック位置決め制御に用いることを特徴とする請求項１記載のステージ位置計測および位置決め装置。
【請求項３】
前記位置検出センサーは、回転モーターの回転軸に設けられた円盤型回折格子と、この回折格子にビームを照射し、発生する回折光を非回転側に設けられた受光体にて受光して回転モーターの回転角度からステージ位置を計測する測長装置であり、回折格子の光電信号から得られる位置ずれ量は、前記所定の周波数以上の高周波数領域のフィードバック位置決め制御に用いることを特徴とする請求項１記載のステージ位置計測および位置決め装置。
【請求項４】
前記レーザー干渉計は、基準となる固定物上に設けられたミラーと、このミラーにレーザーを照射して反射してくる計測光とステージ上ミラーからの参照光との干渉縞の光電信号によりステージ位置を計測するステージ上に設けられたレーザー干渉計であることを特徴とする請求項１、２または３記載のステージ位置計測および位置決め装置。
【請求項５】
前記レーザー干渉計は、ステージ上に設けられたミラーと、このミラーにレーザーを照射して反射してくる計測光と基準となる固定物上に設けられたミラーからの参照光との干渉縞の光電信号によりステージ位置を計測する基準固定物上に設けられたレーザー干渉計であることを特徴とする請求項１、２または３記載のステージ位置計測および位置決め装置。
【請求項６】
前記レーザー干渉計光路を含むステージ空間に存在する気体を撹拌する手段を備えることを特徴とする請求項１乃至５の何れかに記載のステージ位置計測および位置決め装置。
【請求項７】
前記攪拌手段は、気体を任意の方向から流入させ、レーザー干渉計光路を含むステージ空間に存在する気体を撹拌することを特徴とする請求項７記載のステージ位置計測および位置決め装置。
【発明の詳細な説明】
【０００１】
【発明の属する技術分野】
本発明は、半導体露光装置、精密計測機、精密加工機等のように高精度な加工、計測精度が要求される装置に適用され得るステージ位置計測および位置決め装置に関するものである。
【０００２】
【従来の技術】
精密計測機、半導体露光装置、精密加工機には、高いステージ位置決め精度が要求される。こうした要求に対して、レーザー干渉計は、計測点や加工点に光軸を一致させることでアッベの原理に基づくステージの姿勢による計測誤差（サインエラー）を無くせるという利点を持ち、そのような高いステージ位置決め精度が要求される装置には広く利用されている。しかし、レーザー干渉計は、測長光路中の気体の温度、湿度、圧力の変化に起因する屈折率変化（ゆらぎ）に影響されやすい欠点を持っている。その為、通常、精密装置内には、装置構成体の温度を一定に保つ為の恒温化された雰囲気を必要とする。その雰囲気を作り出す手段としては、装置内に、温度を一定にコントロールした気体を流すという方法が用いられている。しかし、通常、装置内にはセンサーやモーターなどの多くの発熱体が存在しており、装置内構成部品に当って複雑に変化した気体流が、これらの発熱体にて暖められた気体と混ざり合っている為、測長光路の温度の分布は変化し続け一定にすることは難しい。その結果、レーザー干渉計からの光電信号にはこの気体ゆらぎによる計測ノイズが流入しやすく、正確な位置計測を妨げる原因となる。
【０００３】
この光路中の気体のゆらぎによる計測精度の劣化を防ぐ従来技術の第一の方法として、次の方法がある（例えば、特許文献１参照）。これは、光軸方向に伸縮可能なカバーを設けたり、２枚の平行平板で光路を挟んだりして、外部から光路内への気体の流入を防ぎカバー内の空気の流れを停止すること、または、その空間に気体を層流状態にて流すことで、光路内の気体の屈折率安定化を図る提案である。
【０００４】
また、第二の方法として、次の方法がある（例えば、特許文献２参照）。これは、光路近傍に空気流を送る導風手段を配置し、所定の角度から光路に、直接、温度や湿度を一定に保った空気を局所的に送風して、光路内の気体の屈折率安定化を図る提案である。
【０００５】
さらに、第三の方法として、回折格子と、回折格子にビームを当てて回折光を受光する光電検出手段で位置を計測する方法がある。この方法による装置は、１ｎｍ以下の高分解能を有する物を製作することが可能であることが知られ、広く市販されている。また、光源から回折格子までの光路長がレーザー干渉計に比べて非常に短い為、気体のゆらぎの影響を受け難い特徴がある。
【０００６】
【特許文献１】
特開平８−８２５０９号公報
【特許文献２】
特開平１０−８２６１０号公報
【０００７】
【発明が解決しようとする課題】
しかしながら、上記第一の従来例では、光路カバーがステージの移動を制限してしまうという問題や、ステージの移動によりカバー内に周辺の気体が流入し、内部気体の屈折率を変化させてしまうという欠点があった。また、上記第二の従来例では、ステージや装置の構造物が光路近傍に存在する場合や、送風口から光路までの距離が遠くなる場合、気体の流速が空間によって異なり、同一の屈折率を有する気体を全ての光路に均一に流すことは難しく乱流状態が発生し、そのことによって送風空間以外の周囲の気体を巻き込む為、光路内でゆらぎが発生する可能性が高い。また、温度、湿度を高精度に一定に保った気体を送風するには、その為の大掛かりな気体コントロール供給装置が必要になり、高コストになるという欠点もあった。
【０００８】
以上のような従来技術の測長システムでは、光路中の気体のゆらぎによるノイズが干渉計に流入し、あたかもステージが動いているかのような光電信号が、目標位置に対する偏差成分として制御システムに流入し、結果として、ステージはその誤差分だけ動いてしまうということが問題となっている。
【０００９】
一方、上記第三の従来例として、気体のゆらぎ成分に対して影響を受け難い測長手段である回折格子を用いた位置計測方法があることを述べた。しかし、この方法により精密な位置計測を行う為には、アッベの原理に基づいて、計測機ならば計測点、加工機ならば加工点での位置計測を行うことが不可欠であるので、回折格子と受光体は移動体と固定体が近接する位置に配置しなければならないが、その位置に配置するのは難しい。また、回折格子を用いた測長方法は、通常一方向の変位計測しかできないため、例えば、平面上を二次元的に稼動するＸＹステージで要請される様な計測必要点の２軸以上の同時計測は不可能である。その為、回折格子を用いた位置計測では、ステージの傾き成分に比例した計測誤差を発生してしまう。
【００１０】
本発明は、上記の課題に鑑み、上記第一と第二の従来例の干渉計による計測方法が抱えていたゆらぎによる計測位置決め誤差と、第三の従来例の回折格子による計測方法が抱えていたアッベの原理に基づく誤差（サインエラー）との両者を排除し、気体ゆらぎの影響低減と計測精度の向上を図ることができるステージ位置計測および位置決め装置を提供することを目的とする。
【００１１】
【課題を解決する為の手段および作用】
上記目的を達成する本発明のステージ位置計測および位置決め装置は、直動案内機構を有するステージと、レーザー干渉計と、該レーザー干渉計よりも気体の屈折率変化に影響を受け難い位置検出センサーという一軸方向に２つの位置計測手段を有するステージにおいて、ステージ位置決め目標に対する前記２種類の位置計測手段の信号から得られるずれ量（偏差量）について、レーザー干渉計の光電信号から得られる位置ずれ量は、０Ｈｚから所定の周波数までの低周波数領域のフィードバック位置決め制御に用い、また、位置検出センサーの信号から得られる位置ずれ量は、前記所定の周波数以上の高周波数領域のフィードバック位置決め制御に用いる様に構成されたことを特徴とする。この構成において、ステージの移動制御は、得られる共役関係にある２つの測長値の目標値に対する偏差成分のうち、レーザー干渉計の光電信号から得られる位置偏差成分は０Ｈｚから低周波数領域のフィードバック位置決め制御に用い、位置検出センサーの、例えば、回折格子の光電信号から得られる位置偏差成分は高周波数領域のフィードバック位置決め制御に用いて行なわれる。
【００１２】
上記基本構成において、前記位置検出センサーは、ステージ上に設けられた回折格子と、この回折格子にビームを照射し、発生する回折光をステージ外に設けられた受光体にて受光してステージ位置を計測する測長装置であったり、回転モーターの回転軸に設けられた円盤型回折格子と、この回折格子にビームを照射し、発生する回折光を非回転側に設けられた受光体にて受光して回転モーターの回転角度からステージ位置を計測する測長装置であったりする。また、前記レーザー干渉計は、基準となる固定物上に設けられたミラーと、このミラーにレーザーを照射して反射してくる計測光とステージ上ミラーからの参照光との干渉縞の光電信号によりステージ位置を計測するステージ上に設けられたレーザー干渉計であったり、ステージ上に設けられたミラーと、このミラーにレーザーを照射して反射してくる計測光と基準となる固定物上に設けられたミラーからの参照光との干渉縞の光電信号によりステージ位置を計測する基準固定物上に設けられたレーザー干渉計であったりする。
【００１３】
また、非常に長い周期で変動する空気ゆらぎ成分に対しては、レーザー干渉計光路近傍の空気温度、湿度、圧力を各種センサにてモニターしたり、真空光路と空気中の波長差を検出して空気の屈折率変化を検知する波長トラッカーを用いたりして、レーザー干渉計の波長の補正を行ってもよい。
【００１４】
上記各構成の作用として、ステージの位置決め時において、床振動などの実際にステージを動かす外乱と、気体ゆらぎが原因となる干渉計ノイズとの分離が可能となり、光路上に存在している気体がゆらぎ成分を有していても、ステージ位置計測値への影響を取り除くことができる。その結果、極めて高精度な位置計測と位置決め制御が可能となる。
【００１５】
また、前記手段を有し、かつ、光路を含む装置内雰囲気を撹拌する手段を有することを特徴としても良い。その作用としては、レーザー干渉計に流入する空気のゆらぎ成分が原因のノイズ量は増大するが、そのノイズの周波数を上げることが可能となり、０Ｈｚから低周波数領域を計測するレーザー干渉計を用いた位置計測時のフィードバック位置決め制御に用いる位置偏差量のサンプリングの時間間隔を、短くすることが可能となり、計測時間を短縮できる。
【００１６】
【発明の実施の形態】
以下に、本発明の位置計測および位置決め装置の実施の形態を明らかにすべく実施例を図面に沿って説明する。
【００１７】
（第一の実施例）
図１、図２は、本発明の第一の実施例に係る２軸ステージ装置を示す。図１は正面図、図２は側面図である。このステージ装置は、２つの可動軸を有し、案内にはエアースライド１０を用いている。各軸にはアクチュエータであるリニアモーター６ａ，６ｂ，７ａ，７ｂを備えている。
【００１８】
第二軸ステージ２上には、ＨｅＮｅレーザーを光源とする第一軸のレーザー干渉計３ａ、第二軸のレーザー干渉計３ｂが第二軸ステージ２上の位置計測点１１に光軸４ａ，４ｂを一致させるように配置してあり、また、各軸には、位置計測の基準点に固定されたミラー５ａ，５ｂが配置してある。これにより、レーザー干渉計３ａ，３ｂは、距離変動するミラー５ａ，５ｂとステージ２間の光軸４ａ，４ｂの光路と、第二軸ステージ２上または干渉計３ａ，３ｂ内部に設けられた距離変動しない参照光路（不図示）とのビームの干渉縞の変化にて、第二軸ステージ２の移動量を検出することができる。
【００１９】
一方、このステージ装置には、第一軸のリニアスケール８ａ，９ａが第一軸ステージ１と固定部であるヨーイング方向案内面１３の間に配置され、第二軸のリニアスケール８ｂ，９ｂが第二軸ステージ２と第一軸ステージ１の間に配置されている。これらは、回折格子にレーザーを照射し、発生する回折光を受光して光電信号を得る測長装置で、回折格子と受光体の相対位置変化を検出することができる。
【００２０】
そして、このステージ装置には、温度が或る範囲内で変動するゆらぎ成分を持つ空気を、送風口１２からレーザー光路４ａ，４ｂを含むステージ装置の周辺空間へ向けて強制的に送風する機構を備え、ステージ構成部品であるリニアモーター６ａ，６ｂ，７ａ，７ｂやセンサ類（不図示）の様な発熱体の周囲に存在する屈折率の違う空気の塊（空気ゆらぎ）を撹拌し、光路中に特定の屈折率の異なる空気が長時間留まることを防いでいる。これの目的は、レーザー干渉計３ａ，３ｂに流入する空気ゆらぎに起因する計測ノイズ自体は軽減できず、むしろ増大させてしまうが、そのノイズ成分の周波数を或る一定以上の領域に上げることである。
【００２１】
以上の構成にて、ステージの位置決めにおいて、目標値に対する偏差成分のうち、或る周波数以上の高周波数領域はリニアスケール８ａ，８ｂ，９ａ，９ｂの光電信号から得られる位置偏差量を用いてフィードバック制御し、０Ｈｚから或る周波数以下の低周波数領域はレーザー干渉計３ａ，３ｂの光電信号から得られる位置偏差量を用いてフィードバック制御を行う。この或る周波数とは、レーザー干渉計３ａ，３ｂに流入する空気ゆらぎに起因するノイズを周波数変換して、ノイズレベルが大きくなり始める周波数を意味し、その周波数は、レーザー干渉計３ａ，３ｂ光路上のゆらぎ成分を撹拌する風速に左右される因子であり、その時の風速に合わせて変更する。もしくは、送風口１２の風速を調整することにより、ノイズの発生する周波数を変更してもよい。これら高周波数領域と低周波数領域は明確に区別できる領域であるので、第一軸及び第二軸について各フィードバック制御は、各位置偏差量を各々適当間隔でサンプリングして、独立的に行われ得て、目標値に向かって各位置偏差量を無くす方向にステージの位置決め制御ができる。
【００２２】
また、非常に長い周期で変動する空気ゆらぎ成分に対しては、レーザー干渉計光路４ａ，４ｂ近傍の空気温度、湿度、圧力を各種センサ（不図示）にてモニターしたり、レーザー干渉計で用いるレーザーから分岐させて別光路を設けて真空光路とその光路との波長差を検出して空気の屈折率変化を検知する波長トラッカー１４ａ，１４ｂを用いたりして、波長の補正を適当な期間を置いて行うこともできる。これにより、非常に長い周期で変動するレーザー干渉計３ａ，３ｂの測長ノイズが補正できる。
【００２３】
以上のように、リニアスケール８ａ，８ｂ，９ａ，９ｂとレーザー干渉計３ａ，３ｂからの信号を周波数によって使い分けて夫々独立的にフィードバック位置決め制御に用いることにより、第二軸ステージ２の実際の挙動によるリニアスケール８ａ，８ｂ，９ａ，９ｂのノイズと、空気ゆらぎの影響によるレーザー干渉計３ａ，３ｂのノイズを分離することが可能になり、空気ゆらぎの影響を極小化した位置計測および位置決め制御が可能となる。
【００２４】
なお、上述の実施例では、送風方向は第一軸ステージ１の可動方向に平行にしているが、レーザー干渉計光路４ａ，４ｂのゆらぎを撹拌することが目的である為、任意の方向からステージ装置へ向けて送風を行ってもよい。
【００２５】
また、上述の実施例では、空気ゆらぎの周波数を上げる為に送風を行っているが、これはステージ位置決め時のレーザー干渉計３ａ，３ｂでの計測時間を短縮するのが目的であり、短縮する必要が無ければ、上記送風口１２のような、ステージ周辺空間の空気を撹拌する手段は必要としない。
【００２６】
（第二の実施例）
図３、図４は本発明の第二の実施例に係るステージ装置を示す図であり、図１、図２と同一用途部分には同一の符号を付けている。図３が正面図であり、図４が側面図である。このステージ装置では、案内に転動スライド２０を用い、第二のステージ位置計測手段として、リニアスケールではなく、ロータリーエンコーダー２１ａ，２１ｂにて回転モーター２２ａ，２２ｂの回転を検知し、送りねじ２３ａ，２３ｂにて回転を直動変換してステージ１，２を駆動している点が、前述の第一の実施例との相違点である。
【００２７】
このロータリーエンコーダー２１ａ，２１ｂからの光電信号を、前述のリニアスケールの光電信号と同様に、或る周波数以上の高周波数領域のみのステージ１，２の位置偏差量として用いて、ステージ位置をフィードバック制御し、０Ｈｚから或る周波数以下の低周波数領域はレーザー干渉計３ａ，３ｂの光電信号から得られる位置偏差量を用いてフィードバック制御を行う。このことにより、前述の実施例と同様の効果が得られ、空気ゆらぎの影響を極小化した位置計測および位置決め制御が可能となる。
【００２８】
（第三の実施例）
図５、図６は本発明の第三の実施例に係るステージ装置を示す図であり、図１、図２と同一部分には同一の符号を付けている。図５が正面図であり、図６が側面図である。これは、加工機や半導体露光装置で好適に用いられる、加工物や計測対象物をステージ１，２にて可動させる用途で用いられる構成である。基準の固定側にレーザー干渉計３ａ，３ｂを設け、第二ステージ軸２上にミラー５ａ，５ｂを設けている点が前述の実施例と異なっている。この構成でも前述の第一、第二の実施例と同様の効果を得られ、空気ゆらぎの影響を極小化した位置計測および位置決め制御が可能となる。
【００２９】
【発明の効果】
以上のように、本発明によれば、レーザー干渉計光路の空気ゆらぎの影響を低減でき、ｎｍ単位での位置計測と位置決めの高精度化を実現することが可能になる。また、気体を層流状態にて流す工夫や、温度、湿度を高精度に一定に保った気体を送風するのに必要な大掛かりな気体コントロール供給装置が必要でなくなり、コスト削減も実現できる。
【図面の簡単な説明】
【図１】本発明の第１の実施例に係るステージ位置計測および位置決め装置を説明する為の正面図である。
【図２】本発明の第１の実施例に係るステージ位置計測および位置決め装置を説明する為の側面図である。
【図３】本発明の第２の実施例に係るステージ位置計測および位置決め装置を説明する為の正面図である。
【図４】本発明の第２の実施例に係るステージ位置計測および位置決め装置を説明する為の側面図である。
【図５】本発明の第３の実施例に係るステージ位置計測および位置決め装置を説明する為の正面図である。
【図６】本発明の第３の実施例に係るステージ位置計測および位置決め装置を説明する為の側面図である。
【符号の説明】
１：第一軸ステージ
２：第二軸ステージ
３ａ：第一軸レーザー干渉計
３ｂ：第二軸レーザー干渉計
４ａ：第一軸レーザー測長光軸
４ｂ：第二軸レーザー測長光軸
５ａ：第一軸レーザー測長用ミラー
５ｂ：第二軸レーザー測長用ミラー
６ａ、６ｂ：第二軸リニアモーター
７ａ、７ｂ：第一軸リニアモーター
８ａ：第一軸リニアスケール用投光受光体
８ｂ：第二軸リニアスケール用投光受光体
９ａ：第一軸リニアスケール回折格子
９ｂ：第二軸リニアスケール回折格子
１０：エアースライド
１１：計測対象点
１２：気体送風装置
１３：第一軸ヨーイング方向静圧案内面
１４ａ：第一軸波長トラッカー
１４ｂ：第二軸波長トラッカー
２０：転動スライド
２１ａ：第一軸ロータリーエンコーダー
２１ｂ：第二軸ロータリーエンコーダー
２２ａ：第一軸回転モーター
２２ｂ：第二軸回転モーター
２３ａ：第一軸送りねじ
２３ｂ：第二軸送りねじ
【図１】
2004101362.tif 000003
【図２】
2004101362.tif 000004
【図３】
2004101362.tif 000005
【図４】
2004101362.tif 000006
【図５】
2004101362.tif 000007
【図６】
2004101362.tif 000008